(57)【要約】【課題】駆動機構に含まれる回転を同期する滑り摩擦機構において、リールの交換によっても滑り機構の効果が変化しない摩擦部材を提供する。【解決手段】ハウジングと、基材と転写用塗膜とからなる転写テープと、転写テープの繰出部と、ハウジングの開口部から突出する塗膜の転写部と、基材の巻取部と、を備える塗膜転写具であって、繰出部あるいは巻取部の一方が、転写テープまたは基材を巻回するリールと、前記リールを支持する軸を有する巻取部との連動回転部材と、前記リールと前記連動回転部材を連結する連結部材とを備え、前記リールは内面に、回転軸の軸方向に複数の突条を有し、前記連結部材は、前記連動回転部材のリール支持軸側面と摩擦係合する複数の爪と、前記リールの突条に係合する単数または複数の突起とを備えることを特徴とする。【選択図】　　　　図１
2004114470.tif 000002
【特許請求の範囲】
【請求項１】
ハウジングと、基材と転写用塗膜とからなる転写テープと、転写テープの繰出部と、ハウジングの開口部から突出する塗膜の転写部と、基材の巻取部とを備える塗膜転写具の繰出部あるいは巻取部の一方が、転写テープまたは基材を巻回するリールと、前記リールを支持する軸を有する巻取部との連動回転部材と、前記リールと前記連動回転部材を連結する連結部材とを備え、前記リールは内面に、回転軸の軸方向に複数の突条を有し、前記連結部材は、前記連動回転部材のリール支持軸側面と摩擦係合する複数の爪と、前記リールの突条に係合する単数または複数の突起とを備えることを特徴とする塗膜転写具。
【請求項２】
繰出部と巻取部との連動回転時に、連動回転部材に過剰の回転負荷がかかった場合に、連動回転部材のリール支持軸側面に摩擦係合する連結部材が、リール支持軸側面を滑り、連動回転部材及びそれに係合するリールが回転することを特徴とする請求項１記載の塗膜転写具
【請求項３】
ハウジングと、基材と転写用塗膜とからなる転写テープと、転写テープの繰出部と、ハウジングの開口部から突出する塗膜の転写部と、基材の巻取部とを備える塗膜転写具の繰出部あるいは巻取部に備えられる連動回転滑り機構であって、内面に、リールの回転軸の軸方向に複数の突条を有する、転写テープまたは基材を巻回するリールと、前記リールの支持軸を有する連動回転部材と、前記連動回転部材のリールの支持軸に嵌合し、前記支持軸側面と摩擦係合する複数の爪と、前記リールの突条に係合する単数または複数の突起とを備える、リールと連動回転部のリールの支持軸との連結部材とを含む塗膜転写具の連動回転滑り機構。
【請求項４】
連動回転部材のリールの支軸側面と摩擦係合する複数の爪と、リールの突条に係合する単数または複数の突起とを備えるリールと連動回転部との連結部材。
【発明の詳細な説明】
【０００１】
【発明が属する技術分野】
本発明は、転写テープ上の塗膜を紙面等に転写するための塗膜転写具に関するものであり、詳しくは、塗膜転写具の転写テープ繰出部及び基材巻取部の駆動機構に関するものである。
【０００２】
【従来の技術】
塗膜転写具は、転写テープを紙面等に転写するためのものとして種々提案されている。塗膜転写具は一般的に、ハウジング内に内部部品として、転写テープ、繰出部、転写部、巻取部、駆動部を含んで構成される。転写テープは、薄葉紙やプラスチックフィルムの基材上に被覆層や粘着層を積層したものであり、いわゆる修正テープやマーキングテープ、粘着テープなどがある。細長いテープ状の転写テープはハウジング内で、繰出部から転写部を経由し、巻取部へとつながる経路をたどる。繰出部は転写される前の転写テープを保持し、一般的には転写テープを巻回し保持する。巻取部は、被覆層や粘着層を転写した後の基材を保持し、一般的には基材を巻回し保持する。繰出部と、巻取部とは連動回転し、転写テープを繰出部から巻取部へ送出する。転写部は、転写テープの転写層を紙面等の被転写面へ転写するためにハウジングから突出するよう設けられている。
【０００３】
巻取部または繰出部は、転写テープまたは基材を巻回するリールと、このリールを支持する軸を有する連動回転部材とを備える。巻取部のリールは、あらかじめ転写テープが巻回されたものであり、繰出部のリールは、転写層が転写された基材を順次巻取るものである。リールの支持軸は、リールと連動回転部とを一体化するための部分である。そのため、連動回転部とリールとを一部材としたものも用いられる。繰出部と巻取部とを連動させる連動回転部は、ギヤやプーリなど回転物を連動させる機構が利用される。繰出部と巻取部との回転を同期させるためには、Ｏリングや突起物などの摩擦部材を用いた滑り機構などが使用される。駆動方法や回転の同期方法は適宜組合せて選択される。ハウジングには巻取部、繰出部をそれぞれ支持する軸が設けられる。繰出部と巻取部とは、ハウジング内で並べて配置されてもよく、重ねて配置されてもよい。
【０００４】
Ｏリングや係合爪などの、摩擦部材は、リールと連動回転部材との連結部分に設けられる。連動回転部に過剰の回転駆動力がかかったときに、連動回転部材の軸に支持されるリールのみを回転させ、繰出部と巻取部との間を走行する転写テープが切れないように滑り、過剰の力を逃がすものである。連動回転部材の支持軸自体を摩擦部材とし回転同期手段とするものもあれば、リールと連動回転部材の支持軸との間に、摩擦部材である連結部材を介在させ、その連結部材を回転同期手段とするものもある。
【０００５】
リールと連動回転部材の支持軸との間に、連結部材を存在させるものとして、繰出速度と巻取速度を同期させる滑り機構として、塗膜転写テープを巻回した繰出円筒がエラストマー製摩擦部材を介して繰出リールのボス部外周に回動自在に軸支されてなるものがある（例えば、特許文献１参照。）。リールと連動回転部の支持軸との間に介在するエラストマー製摩擦部材は、エラストマー製円筒ブッシュやエラストマー製Ｏリングが挙げられる。円筒ブッシュもＯリングも加わる力を、その材質であるエラストマーの弾性により吸収し、過剰の力を逃がすものである。
【０００６】
繰出部または巻取部のリールを二重の筒状体として、連動回転部のリールの支持軸と接する側の筒がテープを巻回する側の筒よりも機械的強度が弱く、滑り機構として機能するというものもある（例えば、特許文献２参照）。これは、前記巻取用支軸の嵌合外周面に形成された係合部に係合する状態で巻取コアの嵌合内周面に形成された被係合部）、または前記繰出用支軸の嵌合外周面に形成された係合部に係合する状態で繰出コアの嵌合内周面に形成された被係合部を設定以上の相対回転力が作用したときに非伝動状態に弾性変形可能に構成して、当該巻取コア側の被係合部又は繰出コア側の被係合部をもって前記スリップ連動機構を構成するとともに、前記巻取コア側の被係合部又は繰出コア側の被係合部を、これに対応する巻取用支軸側の係合部又は繰出用支軸側の係合部の機械的強度よりも弱く構成してあるというものである。
【０００７】
回転を同期させるための滑り機構として、連動回転部材のリールに接触する支持軸の部片が果し、リールと支持軸の部片とを接触させるために、連動回転部材の支持軸と部片との間にスペーサを介在させるというものもある（例えば、特許文献３参照）。これは、供給リールは、前記ケースに設けた第一支持軸に回動自在に枢支させた駆動歯車のボス部に、繰出し円筒部を回動可能に係合して構成する一方、巻取リールは、前記ケースに設けた第二支軸に回動自在に枢支させた巻取円筒部の外周に沿わせて前記駆動歯車にかみ合う従動歯車を設けて構成し、駆動歯車のボス部を第一支軸に回動自在に組付けた主筒と、前記主筒の外周に沿わせて並設し、しかも、繰出し円筒部の内周面に弾性的に接触する、複数個の部片とで構成し、部片と前記主筒との間にはリング状のスペーサを嵌着するものである。
【０００８】
【特許文献１】
特許第２６３９６０６号公報
【特許文献２】
特開平０８−４０６３０号公報
【特許文献３】
特開平１０−１１９４８９号公報
【０００９】
【発明が解決しようとする課題】
回転同期手段が、連動回転部材と一体であって、連動回転部材のリールの支持軸が摩擦部材である場合、転写テープの交換で新しいリールに取り替えたときには、摩擦部材である支持軸とリールとの組み合わせが交換前と異なることとなる。このため交換の都度、支持軸とリールとの摩擦係合が変化し、一定の使用感が得られないという問題がある。同様に、リールが摩擦部材を兼ねる場合も、交換によってリールと支持軸との摩擦係合が変化し同じ問題が生じる。リールと、支持軸との間に連結部材を介在させ、その連結部材を摩擦部材とし、その摩擦部材とリール間の摩擦係合により滑り機構を達成する場合も、同様の問題が生じる。本願は、駆動機構に含まれる回転を同期する滑り摩擦機構において、リールの交換によっても滑り機構の効果が変化しない摩擦部材を提供するものである。
【００１０】
【課題を解決するための手段】
本願は、ハウジングと、基材と転写用塗膜とからなる転写テープと、転写テープの繰出部と、ハウジングの開口部から突出する塗膜の転写部と、基材の巻取部と、を備える塗膜転写具であって、繰出部あるいは巻取部の一方が、転写テープまたは基材を巻回するリールと、前記リールを支持する軸を有する巻取部との連動回転部材と、前記リールと前記連動回転部材を連結する連結部材とを備え、前記リールは内面に、回転軸の軸方向に複数の突条を有し、前記連結部材は、前記連動回転部材のリール支持軸側面と摩擦係合する複数の爪と、前記リールの突条に係合する単数または複数の突起とを備えることを特徴とするものである。繰出部と巻取部との連動回転時に、連動回転部材に過剰の回転負荷がかかった場合には、連動回転部材のリール支持軸側面に摩擦係合する連結部材が、リール支持軸側面を滑り、連動回転部材及びそれに係合するリールが回転する。
【００１１】
また、ハウジングと基材と転写用塗膜とからなる転写テープと転写テープの繰出部とハウジングの開口部から突出する塗膜の転写部と基材の巻取部とを備える塗膜転写具の繰出部あるいは巻取部に備えられる連動回転滑り機構であって、内面に、リールの回転軸の軸方向に複数の突条を有する、転写テープまたは基材を巻回するリールと、前記リールの支持軸を有する連動回転部材と、前記連動回転部材のリールの支持軸に嵌合し、前記支持軸側面と摩擦係合する複数の爪と、前記リールの突条に係合する単数または複数の突起とを備える、リールと連動回転部のリールの支持軸との連結部材とを含むものである。さらに、本願の連動回転滑り機構は、連動回転部材のリールの支軸側面と摩擦係合する複数の爪と、リールの突条に係合する単数または複数の突起とを備えるリールと連動回転部との連結部材を構成に含む。
【００１２】
【発明の実施の形態】
本発明の実施例である塗膜転写具の正面を図１に示した。図１の塗膜転写具は、繰出部に連結部材を備えるものである。
【００１３】
本願発明は、塗膜転写具の連動回転部の滑り機構に関するものである。ハウジングは、一部材からなるもの、複数部材からなるもののいずれであってもよい。内蔵される転写テープは、薄葉紙やプラスチックフィルムの基材上に被覆層や粘着層を積層したもので被覆層及び粘着層を紙面等に転写する、いわゆる修正テープやマーキングテープ、粘着テープなど適宜選択することができる。巻取部及び繰出部は、リールと前記リールの支軸を有する駆動手段を含む。細長いテープ状の転写テープが繰出部のリールに巻回され、巻取部のリールには塗膜を転写した後の転写テープ基材が巻回される。繰出部と巻取部は、塗膜転写具内で並べて配置されてもよく、重ねて配置されてもよい。
【００１４】
内部部品は、ハウジング内に各々配置されていてもよく、一部もしくは全部がハウジングに内包されるカートリッジやホルダー上に保持されていてもよい。内部部品は交換可能であっても、内蔵の転写テープを使い切り再使用しないものであってもよい。本願は、リールの交換によっても、滑り機構の摩擦係合に変化が生じないものであるので、内部部品が交換可能なものに好適である。内部部品の交換は、内部部品それぞれをそのまま交換する方法、内部部品がホルダー板などに着脱可能に保持され、内部部品の装着後ホルダー板を取り除く方法、内部部品が固定されたカートリッジを交換する方法などがあり、いずれであってもよく適宜選択される。
【００１５】
転写部は転写テープを紙面等被転写面に転写するためにハウジングから突出するよう設けられる。転写部の形状は転写テープを被転写面に転写可能なものであればよく、転写テープの種類により、先の尖った略三角柱やへら状の板体、ローラーなど適宜選択することができる。転写部には転写テープの走行を安定させるための、テープ案内板を設けることができる。転写部の保護、転写部による周囲の汚損防止のために、ハウジングの一部または全部を覆うカバーを設けてもよい。
【００１６】
繰出部、巻取部を連動回転させるための駆動手段は、ギヤやプーリなど回転物を連動させる機構であればいずれでもよい。本願考案の連動回転の滑り機構は、繰出部あるいは巻取部の一方に設けることができる。
【００１７】
繰出部または巻取部は、転写テープまたは基材を巻回するリールと、前記リールを支持する軸を有する巻取部との連動回転部材と、前記リールと前記連動回転部材を連結する連結部材とにより構成される。リールは内面に、回転軸の軸方向に複数の突条を設ける。連結部材は、前記リールの突条に係合する単数または複数の突起とを備える。リールは、その内面の突条が連結部材の突起に係合することによって連動部材に連結する。リールの突条と連結部材の突起は、リールと連結部材とが回転しないように係合すればよく、突条や突起の数、長さ等は適宜選択される。
【００１８】
さらに、連結部材は、前記連動回転部材のリール支持軸側面と摩擦係合する複数の爪を備える。連結部材と連動回転部材との係合は、一定以上の回転駆動力がかかったときに回転する程度の係合力が必要である。爪の本数や形状等は、連結部材や連動回転部材の材質により適宜選択される。
【００１９】
【発明の効果】
本願により、駆動機構に含まれる回転を同期する滑り摩擦機構であって、連結部材が、当該連結部材と繰出部あるいは巻取部の支持軸間に、滑り機構を構成するため、交換されるリールは連結部材に係合するのみであり、リールの交換によっても滑り機構の効果が変化しない摩擦部材を得ることができる。
【図面の簡単な説明】
【図１】塗膜転写具の正面図
【図２】塗膜転写具のＡ−Ａ断面図
【図３】塗膜転写具の底面図
【図４】塗膜転写具のＢ−Ｂ断面図
【図５】図１の塗膜転写具の繰出部の分解図
【符号の説明】
１　　ハウジング
２　　転写テープ
３　　繰出部
３１　　リール
３２　　連結部材
３３　　連動回転部材
４　　転写部
５　　巻取部
【図１】
2004114470.tif 000003
【図２】
2004114470.tif 000004
【図３】
2004114470.tif 000005
【図４】
2004114470.tif 000006
【図５】
2004114470.tif 000007